(57)【要約】【課題】安全かつ確実に蓋部材の開閉を行うこと。【解決手段】放射性固体廃棄物を含水状態で貯蔵するタンク２が、放射線遮蔽体３で包囲され、放射線遮蔽体の天井部３ｃにタンク上方を開放する遮蔽体開口部３ｄが設けられており、遮蔽体開口部を開閉するために天井部の面に沿って移動可能に設けられた蓋部材４を、開閉装置の遠隔操作によって開閉移動させる放射性固体廃棄物貯蔵設備について、まず、蓋部材によって遮蔽体開口部を閉塞した状態で遮蔽体開口部の上にポンプ８１を配置する。次に、遠隔操作によって開閉装置を開放作動させ遮蔽体開口部を開放する。次に、ポンプを、遠隔操作によって遮蔽体開口部を通してタンク内に移送させ、かつ遠隔操作によってタンク内の放射性固体廃棄物を処理させる。次に、ポンプを、遠隔操作によって遮蔽体開口部を通してタンク外に移送させる。次に、遠隔操作によって開閉装置を閉塞作動させ遮蔽体開口部を閉塞する。【選択図】図６
2012145548.tif 000002
【特許請求の範囲】
【請求項１】
放射性固体廃棄物を含水状態で貯蔵する容器と、前記容器を包囲する放射線遮蔽体と、前記容器上方を開放する態様で前記放射線遮蔽体の天井部に設けられた遮蔽体開口部と、前記遮蔽体開口部を開閉するために前記天井部の面に沿って移動可能に設けられた蓋部材と、前記蓋部材を開閉移動させる態様で遠隔操作可能に構成された開閉装置と、を備える放射性固体廃棄物貯蔵設備について、前記容器内の放射性固体廃棄物を処理する放射性固体廃棄物処理方法において、
前記蓋部材によって前記遮蔽体開口部を閉塞した状態で、前記遮蔽体開口部の上に、前記容器内の放射性固体廃棄物を処理するための処理機を配置する工程と、
次に、前記開閉装置を遠隔操作によって開放作動させ前記蓋部材を移動して前記遮蔽体開口部を開放する工程と、
次に、前記処理機を、遠隔操作によって前記遮蔽体開口部を通して前記容器内に移送させ、かつ遠隔操作によって前記容器内の放射性固体廃棄物を処理する工程と、
次に、前記処理機を、遠隔操作によって前記遮蔽体開口部を通して前記容器外に移送させる工程と、
次に、前記開閉装置を遠隔操作によって閉塞作動させ前記蓋部材を移動して前記遮蔽体開口部を閉塞する工程と、を含むことを特徴とする放射性固体廃棄物処理方法。
【請求項２】
放射性固体廃棄物を含水状態で貯蔵する容器と、
前記容器を包囲する放射線遮蔽体と、
前記容器上方を開放する態様で前記放射線遮蔽体の天井部に設けられた遮蔽体開口部と、
前記遮蔽体開口部を開閉するために前記天井部の面に沿って移動可能に設けられた蓋部材と、
前記蓋部材を開閉移動させる態様で遠隔操作可能に構成された開閉装置と、
を備えることを特徴とする放射性固体廃棄物貯蔵設備。
【発明の詳細な説明】
【技術分野】
【０００１】
本発明は、原子力発電設備の運転において発生する放射性固体廃棄物を貯蔵する設備にかかり、含水状態で貯蔵された放射性固体廃棄物の攪拌や抜き出しなどの処理をするための処理方法、および放射性固体廃棄物貯蔵設備に関するものである。
【背景技術】
【０００２】
従来、例えば、特許文献１に記載の放射性固体廃棄物の貯蔵設備は、放射性フィルタスラッジや放射性廃棄イオン交換樹脂などの放射性固体廃棄物を、含水状態で長期間貯蔵するための貯蔵設備であって、タンク内に一定期間貯蔵された放射性固体廃棄物を安全かつ容易に取り出すことを目的としている。貯蔵設備は、放射線遮蔽壁で囲まれた空間内にタンクが設置されている。タンクは、その内部に、鉛直線上に位置する揚水管が設けられている。揚水管は、前記空間における天上側の放射線遮蔽壁に上端開口部が設けられ、当該開口部が放射線遮蔽材で作られたプラグ状の蓋によって閉じられている。また、天上側の放射線遮蔽壁の上側に、操作室が設けられている。
【０００３】
この貯蔵設備は、タンク内に貯蔵された放射性固体廃棄物を汲み上げる必要が生じた場合、操作室において、遠隔操作のモノレールホイストによって蓋を吊して移動させることで、揚水管の上端開口部を開放させる。次に、操作室において、遠隔操作のモノレールホイストによってポンプを吊して移動させることで、揚水管の上端開口部の位置にポンプを設置する。次に、ポンプを揚水管に沿ってタンク内に降下させる。次に、ポンプを駆動して放射性固体廃棄物を汲み上げる。次に、放射性固体廃棄物を汲み上げが終了したならば、ポンプをタンク内から引き上げ、しかる後、揚水管の上端開口部に蓋を設置して閉塞する。
【０００４】
なお、例えば、特許文献２に記載の放射性廃スラッジ抜出装置は、含水状態で貯蔵された放射性固体廃棄物を汲み上げる際、タンクの底に沈下した放射性固体廃棄物をポンプで攪拌させてから汲み上げている。
【先行技術文献】
【特許文献】
【０００５】
【特許文献１】特開昭５３−３４１００号公報
【特許文献２】特開平５−１４２３９４号公報
【発明の概要】
【発明が解決しようとする課題】
【０００６】
上記特許文献１の貯蔵設備は、遠隔操作のモノレールホイストによって蓋を吊して移動させている。蓋は、放射線遮蔽材、すなわちコンクリートで作られており、重量が嵩むものである。このため、揚水管の上端開口部の開放時に、当該上端開口部が蓋によって閉塞されている状態では、操作室内において、モノレールホイストを蓋に係止するのに作業者が上端開口部に接近しても放射線に曝されることはない。しかし、揚水管の上端開口部の閉塞時に、モノレールホイストによって蓋を上端開口部に押し込むことは困難であり、蓋を揚水管の上端開口部に嵌める作業に人手を要することがある。このため、作業者が開放状態の揚水管の上端開口部に接近しなければならず放射線に曝されることになる。
【０００７】
本発明は、上述した課題を解決するものであり、含水状態で貯蔵された放射性固体廃棄物の攪拌や抜き出しの処理を行う場合、安全かつ確実に蓋部材の開閉を行うことのできる放射性固体廃棄物処理方法および放射性固体廃棄物貯蔵設備を提供することを目的とする。
【課題を解決するための手段】
【０００８】
上述の目的を達成するために、本発明の放射性固体廃棄物処理方法は、放射性固体廃棄物を含水状態で貯蔵する容器と、前記容器を包囲する放射線遮蔽体と、前記容器上方を開放する態様で前記放射線遮蔽体の天井部に設けられた遮蔽体開口部と、前記遮蔽体開口部を開閉するために前記天井部の面に沿って移動可能に設けられた蓋部材と、前記蓋部材を開閉移動させる態様で遠隔操作可能に構成された開閉装置と、を備える放射性固体廃棄物貯蔵設備について、前記容器内の放射性固体廃棄物を処理する放射性固体廃棄物処理方法において、前記蓋部材によって前記遮蔽体開口部を閉塞した状態で、前記遮蔽体開口部の上に、前記容器内の放射性固体廃棄物を処理するための処理機を配置する工程と、次に、前記開閉装置を遠隔操作によって開放作動させ前記蓋部材を移動して前記遮蔽体開口部を開放する工程と、次に、前記処理機を、遠隔操作によって前記遮蔽体開口部を通して前記容器内に移送させ、かつ遠隔操作によって前記容器内の放射性固体廃棄物を処理する工程と、次に、前記処理機を、遠隔操作によって前記遮蔽体開口部を通して前記容器外に移送させる工程と、次に、前記開閉装置を遠隔操作によって閉塞作動させ前記蓋部材を移動して前記遮蔽体開口部を閉塞する工程と、を含むことを特徴とする。
【０００９】
この放射性固体廃棄物処理方法によれば、蓋部材を移動させる開閉装置を遠隔操作することによって遮蔽体開口部を開閉させる構成とし、処理機を遮蔽体開口部の上に設置するとき、および処理機によって放射性固体廃棄物を処理した後においては、蓋部材で遮蔽体開口部を閉塞しておく。すなわち、遮蔽体開口部に作業者が近寄ることがある場合は、蓋部材によって遮蔽体開口部が閉塞されているため、作業者が放射線に曝されることがなく安全である。しかも、蓋部材は、天井部の面に沿って移動するものであるため、その開閉が遠隔操作で行えるものである。この結果、安全かつ確実に蓋部材の開閉を行うことができる。
【００１０】
上述の目的を達成するために、本発明の放射性固体廃棄物貯蔵設備は、放射性固体廃棄物を含水状態で貯蔵する容器と、前記容器を包囲する放射線遮蔽体と、前記容器上方を開放する態様で前記放射線遮蔽体の天井部に設けられた遮蔽体開口部と、前記遮蔽体開口部を開閉するために前記天井部の面に沿って移動可能に設けられた蓋部材と、前記蓋部材を開閉移動させる態様で遠隔操作可能に構成された開閉装置と、を備えることを特徴とする。
【００１１】
この放射性固体廃棄物貯蔵設備によれば、遮蔽体開口部の開閉を開閉装置の遠隔操作で行うため、遮蔽体開口部に作業者が近寄ることがある場合は、遠隔操作によって蓋部材を移動させて遮蔽体開口部が閉塞されているため、作業者が放射線に曝されることがなく安全である。しかも、蓋部材は、天井部の面に沿って移動するものであるため、その開閉が遠隔操作で行えるものである。この結果、安全かつ確実に蓋部材の開閉を行うことができる。
【発明の効果】
【００１２】
本発明によれば、安全かつ確実に蓋部材の開閉を行うことができる。
【図面の簡単な説明】
【００１３】
【図１】図１は、本発明の実施の形態に係る放射性固体廃棄物貯蔵設備の側断面概略図である。
【図２】図２は、本発明の実施の形態に係る放射性固体廃棄物貯蔵設備の部分拡大側断面図である。
【図３】図３は、本発明の実施の形態に係る放射性固体廃棄物貯蔵設備の部分拡大平面図である。
【図４】図４は、本発明の実施の形態に係る放射性固体廃棄物貯蔵設備の動作を示す部分拡大側断面図である。
【図５】図５は、本発明の実施の形態に係る放射性固体廃棄物貯蔵設備の動作を示す部分拡大平面図である。
【図６】図６は、本発明の実施の形態に係る放射性固体廃棄物処理方法の概略図である。
【図７】図７は、本発明の実施の形態に係る放射性固体廃棄物処理方法の概略図である。
【図８】図８は、本発明の実施の形態に係る放射性固体廃棄物処理方法の概略図である。
【図９】図９は、本発明の実施の形態に係る放射性固体廃棄物処理方法の概略図である。
【図１０】図１０は、本発明の実施の形態に係る放射性固体廃棄物処理方法の概略図である。
【図１１】図１１は、本発明の実施の形態に係る放射性固体廃棄物処理方法の概略図である。
【発明を実施するための形態】
【００１４】
以下に、本発明に係る実施の形態を図面に基づいて詳細に説明する。なお、この実施の形態によりこの発明が限定されるものではない。また、下記実施の形態における構成要素には、当業者が置換可能かつ容易なもの、あるいは実質的に同一のものが含まれる。
【００１５】
図１は、本実施の形態に係る放射性固体廃棄物貯蔵設備の側断面概略図である。
【００１６】
図１に示すように、放射性固体廃棄物貯蔵設備１は、放射性フィルタスラッジや放射性廃棄イオン交換樹脂などの放射性固体廃棄物Ｓを、含水状態で貯蔵する容器としてのタンク２を有している。タンク２は、円筒形状に形成された胴部２ａを有している。タンク２は、下方に膨出するように湾曲して形成された底板２ｂによって胴部２ａの下端が塞がれている。また、タンク２は、胴部２ａの下端に、底板２ｂ側を床部３ａから持ち上げた状態として当該床部３ａに接地する円筒状の脚部２ｃが設けられている。また、タンク２は、円板状に形成された屋根板２ｄによって胴部２ａの上端が覆われている。屋根板２ｄは、その中央にタンク２の内外に通じる円筒状の容器開口部２ｅが形成されている。
【００１７】
また、タンク２は、その内部において、容器開口部２ｅから底板２ｂに至り上下に延在するガイドレール２ｆが設けられている。ガイドレール２ｆは、略Ｖ字形状の断面とされ、開放側が互いに向き合うように１対設けられており、容器開口部２ｅの開口縁に上端が配置され、下端が底板２ｂまで延在して設けられている。このガイドレール２ｆは、タンク２の内部において、タンク２の内面とガイドレール２ｆとの間に水平に架け渡された支持棒２ｇによって支持されている。
【００１８】
また、タンク２は、放射性固体廃棄物Ｓをタンク２内に導入するための廃棄物導入管２ｈが、上端側の側部において内外に貫通して設けられている。また、タンク２は、廃棄物導入管２ｈの下側において、廃棄物導入管２ｈによって放射性固体廃棄物Ｓと共に導入される水Ｗの最高水位を維持するためのオーバーフロー管２ｉが内外に貫通して設けられている。
【００１９】
このように構成されたタンク２は、放射線の漏洩を防ぐように放射線遮蔽体３で包囲された空間Ｐ内に配置されている。放射線遮蔽体３は、鉄筋で補強された剛構造のコンクリートで形成され、タンク２を載置する床部３ａと、床部３ａと一体でタンク２の側方を覆う側壁部３ｂと、側壁部３ｂと一体でタンク２の上方を覆う天井部３ｃとで構成されている。床部３ａは、タンク２の脚部２ｃを基礎ボルト（図示せず）を介して固定する。側壁部３ｂは、タンク２外に延出された上述の廃棄物導入管２ｈおよびオーバーフロー管２ｉが貫通されている。天井部３ｃは、タンク２の容器開口部２ｅの直上において、当該容器開口部２ｅに通じるように矩形状の遮蔽体開口部３ｄが形成されている。この遮蔽体開口部３ｄは、蓋部材４によって開閉可能に構成されている。なお、放射線遮蔽体３における天井部３ｃの上方は、放射線の漏洩を防ぐように放射線遮蔽体３で遮蔽された空間である作業室５として構成されている。
【００２０】
図２は、本実施の形態に係る放射性固体廃棄物貯蔵設備の部分拡大側断面図であり、図３は、本実施の形態に係る放射性固体廃棄物貯蔵設備の部分拡大平面図であり、図４は、本実施の形態に係る放射性固体廃棄物貯蔵設備の動作を示す部分拡大側断面図であり、図５は、本実施の形態に係る放射性固体廃棄物貯蔵設備の動作を示す部分拡大平面図である。
【００２１】
図２〜図５に示すように、蓋部材４は、放射線を遮蔽する材質（例えば、鉛や炭素鋼）からなる板体であり、作業室５側から遮蔽体開口部３ｄを覆うように、遮蔽体開口部３ｄよりも外径の大きい矩形状に形成されている。この蓋部材４は、遮蔽体開口部３ｄを開閉するため、作業室５側である放射線遮蔽体３の天井部３ｃの上面に沿って水平方向に移動可能に設けられている。本実施の形態では、蓋部材４は、その両側に設けられた車輪４ａが、天井部３ｃの上面に固定された一対のレール４ｂ上に載っており、当該レール４ｂに沿ってスライド移動することで遮蔽体開口部３ｄを開閉するように構成されている。
【００２２】
また、蓋部材４は、閉塞状態において、当該蓋部材４の４辺の底面側に対向する遮蔽材４ｃ，４ｄ，４ｅが設けられている。遮蔽材４ｃ，４ｄ，４ｅは、放射線を遮蔽する材質（例えば、鉛や炭素鋼）からなり、放射線遮蔽体３の天井部３ｃであって、遮蔽体開口部３ｄの周囲を囲むように固定されている。遮蔽材４ｃは、閉塞移動時の蓋部材４の先端部に対向する部分では、外側に凸部を有する段が形成されている。これに対して蓋部材４の閉塞移動時の先端部では、外側に凹部を有する段が形成されている。すなわち、蓋部材４を閉塞状態とした場合、蓋部材４と遮蔽材４ｃとの各段が互いに向き合う。また、遮蔽材４ｄは、閉塞移動時の蓋部材４のレール４ｂに沿う両側部に対向する部分では、外側に凸部を有してレール４ｂに沿って連続する段が形成されている。これに対して蓋部材４の閉塞移動時の両側部では、外側に凹部を有してレール４ｂに沿って連続する段が形成されている。すなわち、蓋部材４を閉塞状態とした場合、蓋部材４と遮蔽材４ｄとの各段が互いに向き合う。なお、遮蔽材４ｃと遮蔽材４ｄは、一体に構成されて、平面視で略コ字形状に形成されている。また、遮蔽材４ｅは、閉塞移動時の蓋部材４の後端部に対向する部分では、内側に凸部を有する段が形成されている。これに対して蓋部材４の閉塞移動時の後端部では、内側に凹部を有する段が形成されている。すなわち、蓋部材４を閉塞状態とした場合、蓋部材４と遮蔽材４ｅとの各段が互いに向き合う。この閉塞移動時の蓋部材４の後端部に対向する部分に設けられた遮蔽材４ｅは、蓋部材４の底面よりも高さが低く形成されているため、開放移動時に蓋部材４が干渉しない。このように、各遮蔽材４ｃ，４ｄ，４ｅと蓋部材４とは、遮蔽体開口部３ｄの周囲を囲む位置において、互いに向き合う各段が形成されていることにより、遮蔽体開口部３ｄから作業室５側への放射線の直線的な進行を遮ることになる。
【００２３】
また、蓋部材４は、開閉装置６により開閉移動される。開閉装置６は、蓋部材４を開放移動および閉塞移動させるもので、放射線遮蔽体３の天井部３ｃに設けられ、作動部が蓋部材４に取り付けられたアクチュエータにより駆動される。本実施の形態では、蓋部材４の往復移動分のストロークで往復作動する油圧シリンダが適用されている。このアクチュエータは油圧シリンダに限るものではなく、空圧シリンダ、電動機、油圧モータなどを用いたものでもよい。この開閉装置６は、タンク２が載置される空間Ｐおよび作業室５とは別の、放射線に曝されることのない安全な場所からの遠隔操作によって操作される。なお、開閉装置６が、蓋部材４の往復移動分のストロークで往復作動せず、レール４ｂにストッパ（図示せず）を設けて蓋部材４の往復移動分のストロークを規定してもよい。
【００２４】
なお、蓋部材４は、遮蔽体開口部３ｄを開閉するため、作業室５側である放射線遮蔽体３の天井部３ｃの上面に沿って水平方向に移動可能に設けられていればよく、図には明示しないが、例えば、一部が放射線遮蔽体３の天井部３ｃに対して軸部材で支持され、当該軸部材を中心として回転移動することで遮蔽体開口部３ｄを開閉するように構成されていてもよい。かかる蓋部材４の構成においても、遠隔操作される開閉装置によって開閉移動される。また、蓋部材４は、平面視で矩形状としているが、遮蔽体開口部３ｄを閉塞できる大きさであれば平面視の形状に限定はない。
【００２５】
また、図２〜図５に示すように、タンク２の容器開口部２ｅと、放射線遮蔽体３における天井部３ｃの遮蔽体開口部３ｄとの間には、中継部７が設けられている。中継部７は、矩形状の遮蔽体開口部３ｄに挿通されるとともに、円筒状の容器開口部２ｅの開口端に接合されるように円筒状に形成されたカバー部材７ａを有している。カバー部材７ａは、遮蔽体開口部３ｄに対して液密性を有して接合されている。また、中継部７は、カバー部材７ａの内面に、タンク２のガイドレール２ｆに連続する中継ガイドレール７ｂを有している。中継ガイドレール７ｂは、ガイドレール２ｆと同様に上下に延在し、略Ｖ字形状の断面とされ、開放側が互いに向き合うように１対設けられており、その下端が、ガイドレール２ｆの上端に連なるように構成されている。
【００２６】
以下、上述した放射性固体廃棄物貯蔵設備１について、タンク（容器）２内の放射性固体廃棄物Ｓを処理する放射性固体廃棄物処理方法を説明する。図６〜図１１は、本実施の形態に係る放射性固体廃棄物処理方法の概略図である。
【００２７】
本実施の形態に係る放射性固体廃棄物処理方法は、タンク２内に放射性固体廃棄物Ｓを貯蔵しておき所定期間の経過の後、タンク２内の放射性固体廃棄物Ｓを抜き出す場合に、タンク２の底に沈下した放射性固体廃棄物Ｓをタンク２内の水中に浮遊させて抜き出しを容易にするために攪拌を行うものである。また、本実施の形態に係る放射性固体廃棄物処理方法は、処理装置８によって攪拌に続いて抜き出しも行ってもよい。すなわち、放射性固体廃棄物Ｓの処理とは、タンク２内の放射性固体廃棄物Ｓの少なくとも攪拌を行うことであり、攪拌後の抜き出しを行うことを含んでもよい。
【００２８】
かかる放射性固体廃棄物処理方法は、タンク２内の放射性固体廃棄物Ｓを処理するための処理装置８を用いる。処理装置８は、本実施の形態では、処理機としてのポンプ８１を有する。ポンプ８１は、吸引口８１ａから吸引した物を側部から排出する攪拌機能と、吸引口８１ａから吸引した物をそのまま抜き出す吸引機能とを有し、これらの機能を切り換えられるように構成されている。ポンプ８１は、フレーム８０に対して吸引口８１ａを下方に向けて配置されている。具体的に、フレーム８０には、上述したガイドレール２ｆや中継ガイドレール７ｂと同様に、上下に延在し、略Ｖ字形状の断面とされ、開放側が互いに向き合うように１対設けられた処理機ガイドレール８０ａが設けられている。この処理機ガイドレール８０ａは、ガイドレール２ｆや中継ガイドレール７ｂと同じ間隔で配置されている。ポンプ８１は、処理機ガイドレール８０ａの断面略Ｖ字形状の開放側に接触する車輪８１ｂを側部に有している。すなわち、ポンプ８１は、車輪８１ｂが処理機ガイドレール８０ａ（ガイドレール２ｆ、中継ガイドレール７ｂ）に沿って移動可能に構成されている。また、ポンプ８１は、フレーム８０に設けられたウインチ機構８２のワイヤ８２ａによって吊り下げられ、処理機ガイドレール８０ａの位置に配置されている。すなわち、ポンプ８１は、ウインチ機構８２によって処理機ガイドレール８０ａ（ガイドレール２ｆ、中継ガイドレール７ｂ）に沿って昇降される。また、処理装置８は、フレーム８０に、ポンプ８１を駆動するためのケーブル８３ａを、ポンプ８１の昇降に伴って巻き取ったり戻したりするケーブル巻取機構８３が設けられている。また、処理装置８は、フレーム８０に、ポンプ８１によって吸引された物を移送するホース８４ａを、ポンプ８１の昇降に伴って巻き取ったり戻したりするホース巻取機構８４が設けられている。また、処理装置８は、フレーム８０に車輪８０ｂが設けられ、作業室５内を移動可能に構成されている。なお、処理装置８は、フレーム８０を図示しないホイストにより吊り上げて移動することも可能である。
【００２９】
この処理装置８は、ポンプ８１、ウインチ機構８２、ケーブル巻取機構８３およびホース巻取機構８４の駆動を、タンク２が載置される空間Ｐおよび作業室５とは別の、放射線に曝されることのない安全な場所からの遠隔操作によって操作される。また、処理装置８は、図示しない自走装置を備え、その移動を、タンク２が載置される空間Ｐおよび作業室５とは別の、放射線に曝されることのない安全な場所からの遠隔操作によって操作されてもよい。
【００３０】
本実施の形態に係る放射性固体廃棄物処理方法について説明する。まず、図６に示すように、蓋部材４によって遮蔽体開口部３ｄを閉塞した状態で、放射線遮蔽体３の天井部３ｃにおける遮蔽体開口部３ｄの上に処理装置８を配置する。ここで、処理装置８は、自走装置やホイストによる移動を遠隔操作によって操作されてもよいが、蓋部材４によって遮蔽体開口部３ｄを閉塞されているため、処理装置８を作業者が人手によって移動させてもよい。
【００３１】
次に、図７に示すように、蓋部材４の開閉装置６を遠隔操作によって開放作動させ蓋部材４を移動して遮蔽体開口部３ｄを開放する。これにより、処理装置８のポンプ８１を、遮蔽体開口部３ｄを通してタンク２内に移送させることが可能になる。
【００３２】
次に、図８に示すように、処理装置８のポンプ８１を、遠隔操作によって遮蔽体開口部３ｄを通して作業室５からタンク２内に移送させ、かつ遠隔操作によってタンク２内の放射性固体廃棄物Ｓを水中で攪拌させる。この工程において、放射性固体廃棄物Ｓの攪拌に続いて放射性固体廃棄物Ｓをタンク２から抜き出す場合、同処理装置８のポンプ８１によってタンク２内の放射性固体廃棄物Ｓを吸引してタンク２外に抜き出す。
【００３３】
次に、放射性固体廃棄物Ｓの攪拌や汲み上げが終了した場合、図９に示すように、処理装置８のポンプ８１を、遠隔操作によって遮蔽体開口部３ｄを通してタンク２内から作業室５に移送させる。
【００３４】
次に、図１０に示すように、蓋部材４の開閉装置６を遠隔操作によって閉塞作動させ蓋部材４を移動して遮蔽体開口部３ｄを閉塞する。
【００３５】
最後に、図１１に示すように、蓋部材４によって遮蔽体開口部３ｄを閉塞した状態で、遮蔽体開口部３ｄの上から処理装置８を除去する。ここで、処理装置８は、自走装置やホイストによる移動を遠隔操作によって操作されてもよいが、蓋部材４によって遮蔽体開口部３ｄを閉塞されているため、処理装置８を作業者が人手によって移動させてもよい。
【００３６】
このように、本実施の形態の放射性固体廃棄物処理方法は、放射性固体廃棄物Ｓを含水状態で貯蔵するタンク（容器）２と、タンク２を包囲する放射線遮蔽体３と、タンク２上方を開放する態様で放射線遮蔽体３の天井部３ｃに設けられた遮蔽体開口部３ｄと、遮蔽体開口部３ｄを開閉するために天井部３ｃの面に沿って移動可能に設けられた蓋部材４と、蓋部材４を開閉移動させる態様で遠隔操作可能に構成された開閉装置６と、を備える放射性固体廃棄物貯蔵設備１について、タンク２内の放射性固体廃棄物Ｓを処理する放射性固体廃棄物処理方法において、蓋部材４によって遮蔽体開口部３ｄを閉塞した状態で、遮蔽体開口部３ｄの上に、タンク（容器）２内の放射性固体廃棄物Ｓを処理するためのポンプ８１（処理機）を配置する工程と、次に、開閉装置６を遠隔操作によって開放作動させ蓋部材４を移動して遮蔽体開口部３ｄを開放する工程と、次に、ポンプ８１を、遠隔操作によって遮蔽体開口部３ｄを通してタンク２内に移送させ、かつ遠隔操作によってタンク２内の放射性固体廃棄物Ｓを処理する工程と、次に、ポンプ８１を、遠隔操作によって遮蔽体開口部３ｄを通してタンク２外に移送させる工程と、次に、開閉装置６を遠隔操作によって閉塞作動させ蓋部材４を移動して遮蔽体開口部３ｄを閉塞する工程と、を含む。
【００３７】
この放射性固体廃棄物処理方法によれば、蓋部材４を移動させる開閉装置６を遠隔操作することによって遮蔽体開口部３ｄを開閉させる構成とし、ポンプ８１を遮蔽体開口部３ｄの上に設置するとき、およびポンプ８１によって放射性固体廃棄物Ｓを処理した後においては、蓋部材４で遮蔽体開口部３ｄを閉塞しておく。すなわち、遮蔽体開口部３ｄに作業者が近寄ることがある場合は、蓋部材４によって遮蔽体開口部３ｄが閉塞されているため、作業者が放射線に曝されることがなく安全である。一方、蓋部材４を移動させて遮蔽体開口部３ｄを開放しているときは、当該遮蔽体開口部３ｄに作業者が近寄る必要がない。しかも、蓋部材４は、天井部３ｃの面に沿って移動するものであるため、その開閉が遠隔操作で行えるものである。この結果、安全かつ確実に蓋部材の開閉を行うことが可能になる。
【００３８】
また、本実施の形態の放射性固体廃棄物処理方法は、ポンプ８１は、タンク２中の放射性固体廃棄物Ｓを吸引する吸引機能を兼ね備えており、タンク２内の放射性固体廃棄物Ｓを水中で攪拌させる工程では、攪拌に続いてタンク２内の放射性固体廃棄物Ｓを吸引してタンク２外に抜き出す工程を含む。
【００３９】
この放射性固体廃棄物処理方法によれば、放射性固体廃棄物Ｓの攪拌に続けて放射性固体廃棄物Ｓの抜き出しを行うことが可能になる。
【００４０】
また、本実施の形態の放射性固体廃棄物貯蔵設備は、放射性固体廃棄物Ｓを含水状態で貯蔵するタンク（容器）２と、タンク２を包囲する放射線遮蔽体３と、タンク２上方を開放する態様で放射線遮蔽体３の天井部３ｃに設けられた遮蔽体開口部３ｄと、遮蔽体開口部３ｄを開閉するために放射線遮蔽体３の天井部３ｃに沿って移動可能に設けられた蓋部材４と、蓋部材４を開閉移動させる態様で遠隔操作可能に構成された開閉装置６と、を備える。
【００４１】
この放射性固体廃棄物貯蔵設備は、遮蔽体開口部３ｄの開閉を開閉装置６の遠隔操作で行うため、遮蔽体開口部３ｄに作業者が近寄ることがある場合は、遠隔操作によって蓋部材４を移動させて遮蔽体開口部３ｄが閉塞されているため、作業者が放射線に曝されることがなく安全である。しかも、蓋部材４は、天井部３ｃの面に沿って移動するものであるため、その開閉が遠隔操作で行えるものである。この結果、安全かつ確実に蓋部材の開閉を行うことが可能になる。
【００４２】
なお、上述した実施の形態では、蓋部材４を移動させる開閉装置６が天井部３ｃに設けられている構成を説明したが、開閉装置６は処理装置８側に設けられていてもよい。また、上述した実施の形態では、蓋部材４を開閉装置６の遠隔操作によって移動させ遮蔽体開口部３ｄを開閉するように構成しているが、この限りではない。例えば、図には明示しないが、開閉装置として、処理装置８を遠隔操作で移動するように構成し、この処理装置８の移動に伴って蓋部材４を移動させて遮蔽体開口部３ｄを開閉するように構成してもよい。
【００４３】
なお、上述した実施の形態では、放射性固体廃棄物Ｓを含水状態で貯蔵するものをタンク２として説明したが、タンク２に限らない。例えば、図には明示しないが、屋根板を有さず上部全体が開口する槽（平面視で円型でも角型でもよい）を容器として設けてもよい。
【符号の説明】
【００４４】
１  放射性固体廃棄物貯蔵設備
２  タンク（容器）
３  放射線遮蔽体
３ａ  床部
３ｂ  側壁部
３ｃ  天井部
３ｄ  遮蔽体開口部
４  蓋部材
４ａ  車輪
４ｂ  レール
４ｃ，４ｄ，４ｅ  遮蔽材
５  作業室
６  開閉装置
７  中継部
７ａ  カバー部材
７ｂ  中継ガイドレール
８  処理装置
８０  フレーム
８０ａ  処理機ガイドレール
８０ｂ  車輪
８１  ポンプ（処理機）
８１ａ  吸引口
８１ｂ  車輪
８２  ウインチ機構
８２ａ  ワイヤ
８３  ケーブル巻取機構
８３ａ  ケーブル
８４  ホース巻取機構
８４ａ  ホース
Ｐ  空間
Ｓ  放射性固体廃棄物
Ｗ  水
【図１】
2012145548.tif 000003
【図２】
2012145548.tif 000004
【図３】
2012145548.tif 000005
【図４】
2012145548.tif 000006
【図５】
2012145548.tif 000007
【図６】
2012145548.tif 000008
【図７】
2012145548.tif 000009
【図８】
2012145548.tif 000010
【図９】
2012145548.tif 000011
【図１０】
2012145548.tif 000012
【図１１】
2012145548.tif 000013